(57)【要約】曇り防止鏡を備える流体ディスペンサーが提供され、これは、通常ならば目に見える水分凝縮を鏡面上に形成するという結果になる環境中で使用するためのものである。
2005535430.tif 000002
【特許請求の範囲】
【請求項１】
曇り防止鏡を備えることを特徴とする流体ディスペンサー。
【請求項２】
前記曇り防止鏡が、曇り防止特性を提供するためのナノ粒子皮膜でコーティングされていることを特徴とする請求項１に記載の流体ディスペンサー。
【請求項３】
前記ナノ粒子皮膜が、天然粘土、合成粘土、又はこれら物質の混合物を含むことを特徴とする請求項２に記載の流体ディスペンサー。
【請求項４】
前記曇り防止鏡が、前記流体ディスペンサーに取外し可能に取り付けられていることを特徴とする請求項１ないし３のいずれか１項に記載の流体ディスペンサー。
【請求項５】
前記曇り防止鏡が、観察領域の拡大を可能にするために曲面状であることを特徴とする請求項１ないし４のいずれか１項に記載の流体ディスペンサー。
【請求項６】
前記流体ディスペンサーを特に壁又はシャワーユニットの表面に取り付けるための手段を含むことを特徴とする請求項１ないし５のいずれか１項に記載の流体ディスペンサー。
【請求項７】
かみそりを取り付けるための手段を含むことを特徴とする請求項１ないし６のいずれか１項に記載の流体ディスペンサー。
【請求項８】
予備かみそりヘッドを貯蔵するための手段を含むことを特徴とする請求項１ないし７のいずれか１項に記載の流体ディスペンサー。
【請求項９】
２つ以上のタイプの流体を別個に容れ及び分配するための手段を含むことを特徴とする請求項１ないし８のいずれか１項に記載の流体ディスペンサー。
【請求項１０】
前記２つ以上の流体を分配する時に混合するための手段を含むことを特徴とする請求項９に記載の流体ディスペンサー。
【請求項１１】
流体ディスペンサー及び曇り防止鏡を含むことを特徴とするキット。
【発明の詳細な説明】
【技術分野】
【０００１】
本発明は、美容流体ディスペンサーの分野に関するものである。
【背景技術】
【０００２】
消費者は、シャワー中又は入浴中に、ひげ剃りクリーム又はフェイシャルクリームなどの様々な流体を分配して、体、特に顔に適用することを望むことがあると認識される。流体ディスペンサーに鏡が組み込まれていると、シャワー又は入浴領域の制限の中で、流体の塗り付け及び次の活動を実施することが可能になる。しかしながら、環境に付き物の湿気のために、水分凝縮の目に見える層が形成され、鏡を「曇らせて」、流体の顔への適用及び次の活動、特にひげ剃りの実行を困難にすることがある。
【発明の開示】
【発明が解決しようとする課題】
【０００３】
鏡は、鏡の裏面を横切って加熱水を通し、鏡の温度を少なくとも周囲環境温度より上げて凝縮を防止することによって曇り止めができることが知られており、例えば米国特許第４，７３３，４６８号を参照されたい。そのような装置は、多量の加熱水を鏡の裏面に接触させて貯蔵するための、裏面に取り付けられた複雑な配管及び／又は容器を必要とする。その上、これらの装置は、加熱水への連結又はその供給を必要とし、適用及び使用が限定される。
【０００４】
鏡面に物理的又は化学的な修飾を施す結果生じる曇り防止特性を有する鏡の例がある。米国特許第４，４００，１５７号は、鏡にジメチルベンジルアンモニウムクロライドの０．１％（容積比）溶液を繰り返して塗布することにより曇り防止化が可能であることを教示する。ＰＣＴ国際公開特許ＷＯ０１／７３４８３Ａ１には、ナイロンパッドを使用して手持ち鏡の表面を横切る静電場を生成し、その結果、一時的に曇り防止特性を有する鏡を得ることが記載されている。これらの処理は双方非常に短寿命であって、鏡がその曇り防止特性をたちまち失うという結果になり、頻繁な処理再実施が必要である。結果として、これらの処理は、永久的に曇り防止性の製品を生産するのには好適でない。
【０００５】
前記状況に基づき、永久的に曇り防止性の鏡を有する流体ディスペンサーが必要とされる。
【課題を解決するための手段】
【０００６】
本発明は、曇り防止鏡を備える流体ディスペンサーを対象とする。
【０００７】
本明細書において、「流体」は、液体、ジェル、粉体、及びペーストなどの、流動性物質を含む。
【０００８】
本明細書において、「曇り防止鏡」は、例えば処理材料の被膜のコーティングによりその反射表面が処理されて、処理した表面上の目に見える水分凝縮形成が未処理材料と比較して永久的に減少するようにされており、処理が表面の反射特性を測定可能に阻害しないものである鏡を含む。
【０００９】
本明細書で使用する「永久的」という用語は、目に見える水分凝縮形成を減少する能力に関して使用する時、少なくとも製品の使用可能寿命の間、好ましくは少なくとも１年間、より好ましくは少なくとも３年間は、実質的に消滅せずに残る曇り防止特性という結果を得る処理を包含する。
【００１０】
本発明人らが知る技術では、本明細書で上述したような恒久配管付き装置を提供することにより、湿潤環境中でひげ剃りをするような問題への取組みを選んで曇り防止鏡を有するディスペンサーを提供する可能性を無視してきたように思われる。本発明の利点は多様である。非常に可搬性であるのでどこにでも持って行き、曇り防止鏡が存在しない湿潤環境中で使用することができる。曇り防止鏡でなければ曇り防止を提供することが非常に難しいシャワーのような場所にも、置くことができる。
【００１１】
好ましい実施形態によれば、本発明は更に、前記曇り防止鏡がナノ粒子皮膜をコーティングされて曇り防止特性を提供する、流体ディスペンサーを含むことができる。好都合なことには、そのコーティングは、天然粘土、合成粘土、又はこれら物質の混合物を含むことができる。
【００１２】
本明細書において、「ナノ粒子」は、１つ以上の微粒子物質を含む被膜を包含し、その微粒子は、好ましくは４００ナノメートル以下の直径、より好ましくは約１ナノメートルないし約４００ナノメートルの直径を有する。微粒子物質は、金属酸化物類、ケイ酸塩類、炭酸塩類、水酸化物類、又は天然粘土及び合成粘土のようなこれらの混合物を含むことができる。
【００１３】
別の好ましい実施形態によれば、曇り防止鏡は、流体ディスペンサーに取外し可能に取り付けられる。
別の好ましい実施形態によれば、曇り防止鏡は、観察領域を拡大可能にするために、曲線状とすることができる。
別の好ましい実施形態によれば、流体ディスペンサーは、流体ディスペンサーを表面、特に壁又はシャワーユニットに取り付けるための手段を含む。
別の好ましい実施形態によれば、流体ディスペンサーは、追加的に、かみそりをこれに取り付けるための手段を含む。
別の好ましい実施形態によれば、流体ディスペンサーは、追加的に、予備のかみそりヘッドを貯蔵するための手段を含む。
別の好ましい実施形態によれば、流体ディスペンサーは、２つ以上のタイプの流体を別個に容れて分配するための手段を含む。
別の好ましい実施形態によれば、流体ディスペンサーは、２つ以上のタイプの流体を別個に容れて分配し、分配時に流体を共に混合する手段を含む。
【００１４】
本発明のこれら及び他の特徴、態様、並びに利点は、本開示を読むことにより当業者には明らかになるであろう。
【発明を実施するための最良の形態】
【００１５】
本明細書は本発明を特定して指摘し明確に請求する請求項で完結するが、添付図面と共になされる好ましい実施形態についての次の説明により、本発明がよりよく理解されるであろうと考える。添付図面では、同一の要素は同じ参照番号によって識別される。
全ての引例は、全体が参考として本明細書に組み込まれる。
【００１６】
本明細書で言及される数値は、実際に測定した値の特定の例を提示する場合を除いて、「約」という言葉が付与されていると考えるべきである。
【００１７】
本発明の流体ディスペンサーは、容れた流体を貯蔵して分配可能ないかなる大きさ及び形状であってもよい。美容流体の場合には、容器の容積は、通常は１０００ｍｌ以下、好ましくは５００ｍｌ以下、より好ましくは４００ｍｌ以下である。流体ディスペンサーは、人造材料で構成しても、天然材料で構成してもよい。人造材料は、合金を含む金属、合成ポリマー、又はこれらの混合物を含むことができる。好ましいポリマー材料には、高密度ポリエチレン、低密度ポリエチレン、ポリプロピレン、ポリエチレンテレフタレート、及びこれらの混合物が含まれる。容器に好ましい製造技法は、射出成形、吹込成形、及びこれらの組み合わせを含む。更に、ディスペンサーは、加圧すなわち大気圧より高い圧力の流体を容れるように構成されてもよい。例えば、エアゾール缶のように構成されてもよい。
【００１８】
本発明の流体ディスペンサーは、液体、ジェル、粉体、及びペースト、又はこれらの混合物など、いかなる流体を含んでもよい。好ましくは、ディスペンサーは、ひげ剃り泡、ひげ剃りジェル、スキンローション、体洗浄剤、歯磨剤、及び他の洗浄又は美容流体から選択される１つ以上の美容流体を含む。より好ましくは、ディスペンサーは、ひげ剃りクリームを含む。
【００１９】
本発明は、流体ディスペンサー中の容器内に別個に保持された２つ以上の流体を含んでもよい。流体ディスペンサーは、空間的及び一時的に分離して、又は空間的にだけ分離して、あるいは分配オリフィスから放出する時に混合をもたらす方法で、これらの流体を分配するように構成されてもよい。
【００２０】
本発明の流体ディスペンサーは、分配オリフィスを通る流体の放出を阻止及び制御する制御手段を含むことができる。これらの制御手段は、弁、蓋、又は両方を含むことができる。更には、流量制御は、高粘性流体と、小分配オリフィスと、重力の影響だけでは流体がオリフィスを通過できないことに打ち勝つ加圧との組み合わせにより達成することができる。制御手段が弁を含む場合には、弁は、ボール弁でも、タップ弁でも、ばね弁でも、又はシリコーンスリット弁でもよい。好ましくは、制御手段は、シリコーンスリット弁を含む。弁は、プラスチック筐体に内蔵して、ディスペンサーにねじ込む又はスナップ嵌めすることができる。弁は又、製造中に容器内へ共成形してもよい。流量制御手段が蓋を含む場合には、蓋は、流体ディスペンサーに固定的に、又は取外し可能に取り付けることができる。固定的に取り付ける場合には、ヒンジ又はスナップ嵌めで取り付けることができる。
【００２１】
流体分配は、幾つかの方法により達成することができる。これらの方法は、重力を含む。この場合、分配オリフィスは、使用中に下方に向けられ、通常は蓋及び／又は弁により流量制御される。更なる方法は、外部圧の適用を含む。そのような場合、ディスペンサーは、少なくとも一部を可撓性材料で製造され、ユーザーがこれを絞って流体を押し出し可能にすることができる。代替又は追加として、ディスペンサーは、ポンプを備えてもよい。ポンプは、押しボタン又は押し領域により操作することができる。この場合、流量制御は、適用圧の変化により達成可能である。代替又は追加として、流量制御は、蓋及び／又は弁により達成されてもよい。流体を分配する更なる方法は、ディスペンサーがエアゾールノズルを押し下げるなどにより加圧される場合には、圧力の開放による。
【００２２】
本発明の流体ディスペンサーは、曇り防止鏡を備える。鏡は、金属、金属化（metallised）ガラス、金属化プラスチック、その他の反射プラスチック、又はこれら材料の混合物などの、反射材料を含むことができる。鏡は、反射材料の１つの連続片でも、又はそのような材料の複数区分の配置を含んでもよいが、好ましくは、１つの連続片を含む。鏡は、ひげ剃りなどの意図する目的のためにユーザーが使用可能ないかなる形状をも有することができ、例としては、円形、楕円形、長方形、及び他の多角形が含まれる。鏡の総反射面積は、好ましくは約２ｃｍ2ないし約３００ｃｍ2、より好ましくは約４ｃｍ2ないし約１００ｃｍ2、更により好ましくは約８ｃｍ2ないし約５０ｃｍ2、及び更により好ましくは９ｃｍ2以上である。曇り防止鏡は、剛性でも、可撓性でもよい。
【００２３】
曇り防止処理の例として次のものを含む。
ａ）親水性のナノ粒子被膜の適用が、ＵＳ０２／００４５０１０Ａ１に開示されている。ナノ粒子は、金属酸化物類、ケイ酸塩類、炭酸塩類、水酸化物類、又は天然粘土及び合成粘土のようなこれらの混合物を含むことができる。粒子は、好ましくは４００ナノメートル以下、より好ましくは約１ナノメートルないし約４００ナノメートルの直径を有する。好都合には、ナノ粒子は、合成粘土の形態である。更に好都合には、ナノ粒子は、サザーンクレイプロダクツ社（Southern Clay Products Inc.）からのラポナイト（Laponite：登録商標）のような合成ヘクトライトの形態であり、これは次の式を有していて：
［ＭｇwＬｉxＳｉ8Ｏ20ＯＨ4-yＦy］z-
上式において、ｗ＝３ないし６、ｘ＝０ないし３、ｙ＝０ないし４、ｚ＝１２−２ｗ−ｘ、及び全体的に負の格子電荷は対イオンによりバランスされ；並びに対イオンは、被選択Ｎａ+、Ｋ+、ＮＨ4+、Ｃｓ+、Ｌｉ+、Ｍｇ++、Ｃａ++、Ｂａ++、Ｎ（ＣＨ3）+、及びこれらの混合物からなる群から選択される。
好都合には、ナノ粒子の持続性（substantivity）は、ＵＳ２００２／００２８２８８Ａ１に開示されるように、熱硬化により増加される。
ｂ）米国特許第６，１６５，２５６号に開示されるような、光触媒金属酸化物と、シリカ又はシリコーン樹脂被膜を形成する前駆体と、溶媒の組み合わせの適用。
ｃ）米国特許第３，９３５，３６７号に開示されるような、ポリウレタン及び親水性ポリアクリルの被膜コーティング。
ｄ）米国特許第３，９３３，４０７号に開示されるような、ヒドロキシアルキルアクリレート又はメチルアクリレート、及びオルガノシロキサン−オキシアルキレンブロックコポリマーの組み合わせの適用。
ｅ）界面活性剤を含浸した透明ラベルフィルムの適用。
ｆ）ＥＰ  ０  ０５２  ４２７に開示されるような、コロイド状シリカ粒子、コロイド状アルミナ粒子、又はこれらの混合物の適用。
本発明者の知る限り、これらの処理は、これまでに鏡に使用されたことはない。
【００２４】
曇り防止鏡は、流体ディスペンサーに組み込まれて、固定的又は取外し可能に取り付けられてもよい。鏡の固定取付けは、プラスチックの１つの塊からの流体ディスペンサーの成形、鏡の流体ディスペンサーへの接着、又は鏡の流体ディスペンサーへの熱封着により達成することができる。成形により、流体ディスペンサーを１つの全体ユニットとして作成可能である。
【００２５】
鏡をディスペンサーに取外し可能に取り付ける手段は、ヒンジ、留め金、クリップ、及び流体ディスペンサー上の滑り溝を含むことができる。これらによって、鏡は、別個に販売されて、次に１つの流体ディスペンサーから別のものへ移動可能となる。
【００２６】
鏡をディスペンサーに取り付ける手段がヒンジを含む場合、鏡は、ヒンジが流体ディスペンサーのいずれの側の上に位置するように取り付けられてもよいが、好ましくは、分配オリフィスを含む端部に反対側のディスペンサー端部に取り付けられる。ヒンジにより、鏡は、輸送又は非使用時に鏡を保護するために、反射表面が見えないようにして（すなわち「閉じ」て）移動可能となる。使用中には、鏡は、反射表面が見えるように、ヒンジ回りの回転により開くことができる。その上、これにより、図形、模様、ホログラムなどを鏡の非反射性裏面に配置することができる。代替方法として、鏡は、第一及び第二の側上に互いに向い合う２つの反射表面を備え、第一の側が標準画像を反射して、第二の側が拡大画像を反射し、２つの鏡タイプの間をヒンジ取付けによりユーザーが容易に切替え可能とすることができる。
曇り防止鏡は又、曲面状又は一部曲面状、好ましくは凹曲率を有して、観察領域の拡大を可能にし、これによって例えばより正確なひげ剃りを容易にすることができる。
【００２７】
本発明の流体ディスペンサーは更に、表面に、好ましくは壁又はシャワーユニットに取り付ける手段を含むことができる。取付け手段は、ゴム吸引カップ、接着性細長片、接着性発泡パッド、フックから吊り下げるためのロープ又はプラスチック突出し部、ねじ固定具などを含むことができる。好ましくは、取付け手段は、吸引カップを含む。取付け手段により、流体ディスペンサーは、シャワー又は入浴領域内の壁上で、消費者が自分の反射像を最も効率的に見ることができる高さに配置可能になる。これによって、消費者が自由な両手でひげ剃りなどの作業を遂行するという結果も得られる。
【００２８】
本発明の流体ディスペンサーは、かみそりを取り付けるための手段を含むことができる。これらには、フック、留め金、又はスタンドを含むことができるが、好ましくは留め金を含む。
更に又、本発明の流体ディスペンサーは、予備かみそりヘッドを貯蔵するための手段、例えばクリップ、留め金、棚、小出し棚などを含むことができる。好ましくは、貯蔵手段は、小出し棚を含む。
【００２９】
本発明の流体ディスペンサーは又、キットの形態で提供されてもよい。キットは、流体ディスペンサーと、本明細書で説明するような曇り防止鏡とを含む。好ましくは、曇り防止鏡は、ヒンジ又は留め金などの、流体ディスペンサーに取り付けるための手段を含む。代替又は追加として、曇り防止鏡は、ゴム吸引カップ又は接着性細長片などの、表面に取り付けるための手段を含むことができる。曇り防止鏡は、鏡を水平表面上に安定的に指示するための、スタンド又は類似器具などの手段を更に含むことができる。キットは、更に、かみそり、予備かみそり刃、流体ディスペンサー内にある流体又は異なる流体を含む追加流体容器などの、追加要素を含むことができる。
【００３０】
次の実施例により、本発明の範囲内にある好ましい実施形態を更に説明し実証する。本実施例は、例証だけを目的として供与するものであり、本発明の範囲から逸脱することなくその多数の変形が可能であるので、本発明を制限するものとして解釈されるべきではない。
【００３１】
（実施例１）
図１ないし４を参照して、曇り防止鏡（１）を備える流体ディスペンサーが提供される。曇り防止鏡（１）は、親水性のナノ粘土をコートされた、９ｃｍ2の面積を有する反射性プラスチックの一片を含む。その鏡は、流体ディスペンサーに接着されている。ディスペンサーは、ポリプロピレンから成形され、長手軸線に沿って長さ１２ｃｍ、幅４ｃｍ、深さ２ｃｍの概略寸法を有する。流体は、流体容器（２）の中に入れられて、分配オリフィス（３）を通って分配される。分配オリフィス（３）を通る流体の分配は、押しボタン（４）によりもたらされ、制御される。かみそり（５）が、かみそり留め金（６）により流体ディスペンサーに取り付けられて提供される。かみそりが使用のために一旦取り外されると、曇り防止鏡（１）には、妨げるものがない。流体ディスペンサーを表面に取り付けるための吸引カップ（７）が設けられている。
【００３２】
本明細書に記載された実施例及び実施形態は例示だけが目的であり、及びそれを考慮した種々の変更又は変形が、本発明の範囲から逸脱することなく当業者に思い浮かぶであろうと理解される。
【図面の簡単な説明】
【００３３】
【図１】本発明の好ましい実施形態の正面図。
【図２】図１の実施形態の側面図。
【図３】図１の実施形態のある角度の斜視図。
【図４】図１の実施形態の上面図。
【図５】図１の実施形態の底面図。
【図１】
2005535430.tif 000003
【図２】
2005535430.tif 000004
【図３】
2005535430.tif 000005
【図４】
2005535430.tif 000006
【図５】
2005535430.tif 000007
【国際調査報告】
2005535430.tif 000008
2005535430.tif 000009
2005535430.tif 000010